(57)【要約】【課題】パケット伝送網における端末のアドレス指定容量を、ネットワーク全域を通過するパケットに含まれる端末識別子のフォーマットを修正せずに増やすことを目的とする。【解決手段】インターネットのようなパケット伝送網（ＲＰ）の端末のアドレス指定容量を増大するために、所定のフォーマットを有しクライアントインストレーション（ＩＣ）で送信されるネットワークパケット（ＰＱ１）に含まれる端末（Ｔｅ）の識別子（ＩＴｅ）が、前記フォーマットを有しパケット網（ＲＰ）内で電話サービスプロバイダサーバで送信されるネットワークパケット（ＰＱ２）に含まれるインストレーション（ＩＣ）の所定の識別子（ＩＰＩ）及び端末識別子（ＩＴｅ）に対応し、ネットワークに送信されるパケット（ＰＱ２）にカプセル化される移送パケットに含まれるポート番号（Ｐｅ１−Ｐｅ３）に変換される。逆もまた同様である。ポート番号は端末を伴う呼び出しの間のステップに対して動的に割り当てられうる。【選択図】図３
2004506385.tif 000002
【特許請求の範囲】
【請求項１】
クライアントインストレーション（ＩＣ）で送信されるネットワークパケット（ＰＱ１）に含まれる端末（Ｔｅ）の識別子（ＩＴｅ）が、所定のフォーマットを有しパケット網（ＲＰ）内で電話サービスプロバイダ手段（ＳＰ）で送信されるネットワークパケット（ＰＱ２）に含まれる前記インストレーション（ＩＣ）の所定の識別子（ＩＰＩ）及び前記端末識別子（ＩＴｅ）に対応し、前記ネットワークパケットにカプセル化される移送パケット（ＥＴ）に含まれるポート番号（Ｐｅ１−Ｐｅ３）に変換され（Ｅ０−Ｅ４）、逆もまた同様であることを特徴とする、前記識別子が所定のフォーマットを有しパケット伝送網（ＲＰ）を通じて通過するパケット（ＥＲ）に含まれる、クライアントの電気通信インストレーション（ＩＣ）の端末（Ｔ１−ＴＥ）の識別子を変換する方法。
【請求項２】
前記端末（ＩＴｅ）を前記インストレーション（ＩＣ）に接続するとき、ポート番号が端末から独立する所定のソースポート番号（Ｐ０）であり、前記サービスプロバイダ手段（ＳＰ）がそれぞれのポート番号（Ｐｅ１）を前記端末（Ｔｅ）に割り当て、それを目的地ポート番号として前記インストレーション（ＩＣ）に送信することを特徴とする、請求項１に記載の方法。
【請求項３】
前記インストレーション（ＩＣ）の任意の端末（Ｔｅ）に対する呼び出し工程（Ｅ２−ＥＪ）を示し、前記端末の識別子（ＩＴｅ）を含み前記インストレーションに送信される前記ネットワークパケット（ＰＱ１）にカプセル化される移送パケット（ＥＴ）に含まれるポート番号（ＰＯＲＴ２−ＰＯＲＴＪ）が、前記端末（Ｔｅ）に動的に割り当てられ、前記インストレーションの識別子（ＩＰＩ）を含みパケット伝送網（ＲＰ）内で前記サービスプロバイダ手段（ＳＰ）に送信される前記ネットワークパケット（ＰＱ２）にカプセル化される移送パケット（ＥＴ）に含まれるポート番号（Ｐｅ２、Ｐｅ３）に変換されて前記端末及び前記端末を伴う呼び出し工程の両方を識別し、逆もまた同様にすることを特徴とする、請求項１又は請求項２に記載の方法。
【請求項４】
動的に割り当てられた前記ポート番号（Ｐｅ２−ＰｅＪ）が前記端末（ＩＴｅ）を伴う呼び出しの最後に再び利用できることを特徴とする、請求項３に記載の方法。
【請求項５】
パケットが前記インストレーション（ＩＣ）から前記サービスプロバイダ手段（ＳＰ）への送信方向で前記パケット伝送網（ＲＰ）に送られるとき、前記ポート番号（Ｐｅ１−ＰｅＪ）が前記ネットワークパケット（ＰＱ２）にカプセル化される前記移送パケット（ＥＴ）にソースポート（ＰＳ）として含まれ、逆にネットワークパケット（ＰＱ３）が前記サービスプロバイダ手段（ＳＰ）から前記インストレーション（ＩＣ）への送信方向で前記パケット伝送網（ＲＰ）に送られるとき、前記ポート番号（Ｐｅ１−Ｐｅ３）は目的地ポート（ＰＤ）として前記ネットワークパケット（ＰＱ３）にカプセル化される前記移送パケット（ＥＴ）に含まれることを特徴とする、請求項１から請求項４のいずれかに記載の方法。
【請求項６】
請求項１から請求項５のいずれかに記載の方法を実行する装置であって、前記装置が前記インストレーション（ＩＣ）に送信されるネットワークパケット（ＥＲ）に含まれる端末（Ｔｅ）の識別子（ＩＴｅ）を前記パケット網（ＲＰ）に送信されるネットワークパケットにカプセル化される移送パケット（ＥＴ）に含まれるポート番号（Ｐｅ１−Ｐｅ３）に適合させるマッピング表（ＴＣ）、及び前記端末（Ｔｅ）により送信されるネットワークパケット（ＰＱ１）内の端末識別子（ＩＴｅ）を、所定のフォーマットを有し前記パケット網（ＲＰ）に送信されるネットワークパケット（ＰＱ２）に含まれる前記インストレーション（ＩＣ）の所定の識別子（ＩＰＩ）に置き換え、前記端末により送信される前記ネットワークパケット（ＰＱ１）にカプセル化される前記移送パケット（ＥＴ）に含まれる通信工程のポート番号（ＰＯＲＴ１−ＰＯＲＴＪ）を、前記ネットワークに送信される前記ネットワークパケット（ＰＱ２）にカプセル化される前記移送パケットに含まれる前記ポート番号（Ｐｅ１−ＰｅＪ）に置き換え、逆もまた同様に行う制御手段（ＬＴＲ）を含むことを特徴とする、クライアントの電気通信インストレーション（ＩＣ）の端末（Ｔ１−ＴＥ）の識別子（ＩＴｅ）を変換することを意図し、前記識別子が前記フォーマットを有しパケット伝送網（ＲＰ）を通じて通過するパケット（ＥＲ）に含まれる、請求項１から請求項５のいずれかに記載の方法を実行する装置。
【請求項７】
前記ネットワークに送信される前記ネットワークパケット（ＰＱ２）にカプセル化される移送パケットのポート番号（Ｐｅ２−ＰｅＪ）が、前記端末（Ｔｅ）を伴う呼び出し及びデータ送信工程（Ｅ２−ＥＪ）に対して動的に割り当てられることを特徴とする請求項６に記載の装置。
【請求項８】
前記制御手段（ＬＴＲ）が前記端末（Ｔｅ）を伴う呼び出しの終わりに、前記マッピング表（ＴＣ）に動的に割り当てられる前記ポート番号（Ｐｅ２−ＰｅＪ）を削除することを特徴とする、請求項７に記載の装置。
【発明の詳細な説明】
【０００１】
【発明の属する技術分野】
本発明は、パケット伝送網を経由して通話するユーザーのインストレーション電話端末の、アドレスとも呼ばれる識別子の処理手続に関する。
【０００２】
【従来の技術】
インターネット網のようなパケット伝送網を基礎とする電話システムにおいて、ネットワークから提供される様々な端末を両義的な方法で識別することが必要であり、それにより端末は通話パケットを送受信することができる。インターネットプロトコル（ＩＰ）アドレスのような単一の識別子は、各端末と世界規模で接続する。ＩＰアドレスが目的地アドレスとしてパケットに含まれる場合、それはネットワークを通じてパケットを送るのに使用される。
【０００３】
インターネットプロトコルのバージョン４に適合するＩＰｖ４アドレスは３２ビット、すなわち４バイトを含み、それはたった約４０億の潜在的な端末識別子に相当する。多くのアドレスがすでにマイクロコンピュータにより使用されてインターネットネットワークに接続しているため、ＩＰｖ４アドレスを端末の識別子として使用することはインターネット網のアドレス指定容量を制限することとなる。その結果、この制限されたアドレス指定容量はインターネットのようなパケット伝送網を基礎とする電話サービスが利用できるすべての電話端末に対しインターネット網へのアクセスの拡大を制限する。
【０００４】
インターネットのアドレス指定容量の不足を改善するために、バージョン６による新しいプロトコルがＩＰｖ６端末アドレスを１２８ビットへ拡大することを企図している。ＩＰｖ６アドレスの１２８ビットは、非常に多数の端末識別子、実際には約３×１０３８の潜在的な識別子を画定することができる。ＩＰｖ４アドレスをＩＰｖ６アドレスにカプセル化して、インターネットプロトコルのバージョン４及びバージョン６間の移行を容易にしようとしているが、現在のところＩＰｖ６アドレスにより示されるインターネット網上の電話端末は存在しない。
【０００５】
回線切換えを基礎とする電気通信網において、直接アクセス網に接続する端末は電気通信回線といった端末アクセスの数により識別される。端末がクライアントインストレーションを経由してアクセス網に接続されると、各端末はインストレーション内で局部的にのみ使用される個人的な識別子を有し、クライアントインストレーションだけがインストレーションがアクセス網にアクセスできる独自の番号により示される。
【０００６】
クライアントインストレーションの端末がインストレーションの外部から個々に識別できなければならない場合、インストレーションの端末のそれぞれにひとつの識別子を割り当てることが必要である。例えば、クライアントデジタル電話インストレーションが一体化したサービスデジタル網に接続する場合、ネットワークオペレータは電話番号をクライアントインストレーションの端末にそれぞれ割り当て、その後そのことは端末をアドレス指定する点でトランスペアレントとなる。
【０００７】
例えばインターネット網のようなパケット切換えを基礎とする電気通信網において、端末がパケット伝送網を経由して他の端末又はアプリケーションサーバと対話できるように各端末は全単写的に及び従って明白に識別されなければならない。従って各端末はそれ自身の識別子を有し、他の端末と区別する。端末の識別子は世界規模で独自に画定され、現存するネットワークとの整合性を確保する。
【０００８】
パケット伝送網、すなわちパケットにより音声を送るネットワークを基礎とする電話サービスにとって、この全単写的な識別は特に重要である。いつでも端末を呼び出すことが可能でなければならないため、その識別子はパケット網により知られ、認証されなければならない。
【０００９】
端末がインターネットプロトコルを基礎とするイントラネット網により接続され、その結果端末内部でそれぞれ割り当てられるＩＰフォーマットの個人的なアドレスを有するところにクライアントの電気通信インストレーションも存在する。アドレス指定のあいまい性を防ぐために、例えばクライアントインストレーションをインターネット網に接続しなければならない場合、変換装置がインストレーションアクセスレベルで含まれ、それぞれの個人的なＩＰ端末アドレスを公の端末アドレスに変換し、それによりインストレーションの各端末はインストレーションの外部からアドレス指定されうる。
【００１０】
【発明が解決しようとする課題】
本発明の目的は、パケット伝送網における端末のアドレス指定容量を、ネットワーク全域を通過するパケットに含まれる端末識別子のフォーマットを修正せずに増やすことである。言い換えると、本発明の目的は、パケット網に関してトランスペアレントに、クライアントの電気通信インストレーション内で各端末、特に各電話端末に対して単一の識別子を提供し、ネットワークにより公に知られているインストレーションのＩＰｖ４アドレスのようなインストレーションの識別子を修正をしないことである。
【００１１】
【課題を解決するための手段】
従って、識別子が所定のフォーマットを有しパケット伝送網を通じて通過するパケットに含まれる、クライアントの電気通信インストレーションの端末の識別子を変換する方法は、クライアントインストレーションに送信されるネットワークパケットに含まれる端末の識別子が、前記フォーマットを有しパケット網内で電話サービスプロバイダ手段に送られるネットワークパケットに含まれるインストレーションの所定の識別子及び端末の識別子に対応しネットワークパケットにカプセル化される移送パケットに含まれるポート番号に変換されることを特徴とする。逆に、前記フォーマットを有し、パケット網においてインストレーションに送信されるネットワークパケットに含まれるインストレーションの所定の識別子及びインストレーションに送信されるネットワークパケットにカプセル化される移送パケットに含まれるポート番号は、端末に送信されるネットワークパケットに含まれる端末の識別子に変換され、同様に、通信工程において端末に送信されるネットワークパケットにカプセル化される移送パケットに含まれるポート番号に変換される。
【００１２】
パケット伝送網及びクライアント電気通信インストレーション間の識別子の変換は、端末を伴う各呼び出しが続く時間を通じて、リアルタイムでインストレーションの各端末により送受信されるすべてのパケットに影響を与える。変換はクライアントインストレーションに関してトランスペアレントであり、パケット伝送網、すなわちインストレーションの各端末により送受信されるパケットのフォーマット及びパケット伝送網に接続する電話サービスプロバイダ手段により送受信されるパケットのフォーマットは修正されず、クライアントに対するサービスの質を落とさない。特に、識別子変換処理はパケットを送信する際において目立つほどの遅れの原因とはならない。
【００１３】
クライアントはＩＰアドレスのようなたった一つのインストレーション識別子を有し、従ってインストレーションの端末すべてが電話回線、専用回線又はデータ伝送回線型のクライアントが物理的にアクセスするといったたった一つのアクセスにより接続されうるが、インストレーションの各端末は好都合なことにインストレーションの外部からそれぞれの識別子によりアドレス指定ができ、まるでクライアントインストレーションが端末の番号と同じネットワークへの「物理的な」アクセスポイント番号を有しているかのようである。
【００１４】
最初に、端末をインストレーションに接続するとき、ポート番号は端末から独立する所定のソースポート番号であり、サービスプロバイダ手段はそれぞれのポート番号を端末に割り当て、それを目的地ポート番号としてインストレーションに送信する。
【００１５】
端末を伴う呼び出しの間、端末が外にかけるためにクライアントインストレーションから電話サービスプロバイダ手段に、又はかかってきた電話に対してサービスプロバイダ手段からインストレーションにそれぞれのポート番号を送信することにより識別されたあと、インストレーションの任意の端末に対する呼び出し工程を示し、端末の識別子を含みインストレーションに送信されるネットワークパケットにカプセル化される移送パケットに含まれるポート番号は、端末に動的に割り当てられ、インストレーションの識別子を含みパケット伝送網内でサービスプロバイダ手段に送信されるネットワークパケットにカプセル化される移送パケットに含まれるポート番号に変換され、端末及び端末を伴う呼び出し工程の両方を識別し、その逆もまた同様に行う。
【００１６】
端末を伴う呼び出しの終わりに、動的に割り当てられたポート番号がインストレーションの他の端末を伴う呼び出しに再び利用できる。
【００１７】
本発明はまた、本発明による変換方法を実行する識別子変換装置を提供する。該装置は、インストレーションに送信されるネットワークパケットに含まれる端末の識別子をパケット網に送信されるネットワークパケットにカプセル化される移送パケットに含まれるポート番号と適合させるマッピング表と、端末により送信されるネットワークパケット内の端末識別子を、前記フォーマットを有しパケット網に送信されるネットワークパケットに含まれるインストレーションの所定の識別子に置き換え、端末により送信されるネットワークパケットにカプセル化される移送パケットに含まれる通信工程のポート番号をネットワークに送信されるネットワークパケットにカプセル化される移送パケットに含まれるポート番号に置き換える制御装置を含むことを特徴とする。逆に、制御手段はパケット網でインストレーションに送信されるネットワークパケット内のインストレーション識別子と上記パケット網にカプセル化される移送パケットに含まれるポート番号を、インストレーションの端末に送信されるネットワークパケットに含まれる端末の識別子及び端末に送信されるパケットネットワークにカプセル化される移送パケットに含まれる呼び出し工程のポート番号に置き換える。
【００１８】
本発明による識別子変換装置は、クライアントインストレーション電気通信端末とインストレーションへのアクセス網間の「橋」としての役目を果たす。この橋は、クライアントインストレーション及びパケット伝送網間の橋全域を通過するパケットの手続処理に関してトランスペアレントである。
【００１９】
後述されるように、端末に関連しネットワークに送信されるネットワークパケットにカプセル化される移送パケットに含まれるポート番号は、端末をサービスプロバイダ手段に登録する際に静的に又は端末及び遠隔端末を伴いサービスプロバイダ手段の制御下での呼び出し及びデータ伝送工程に対して動的に割り当てられうる。
【００２０】
本発明の他の特徴及び利点は、対応する添付の図面を参照して与えられる本発明のいくつかの好ましい実施形態の以下の記述を読むことによりさらに明らかとなる。
【００２１】
【発明の実施の形態】
図１に図式的に示されるように、本発明は、例えば以下で言及されるインターネットのような高速ビットレートのパケット伝送網ＲＰを経由する電話サービスプロバイダサーバＳＰ及びクライアント電気通信インストレーション間の関係について以下に記述される。図１は例えばＭ個のアクセス網ＲＡ１、ＲＡ２、…、ＲＡＭを示し、それらはクライアント電気通信インストレーションＩＣ１１からＩＣ１Ｎ、ＩＣ２１からＩＣ２Ｐ、…、ＩＣＭ１からＩＣＭＱにパケット網ＲＰへのアクセスとをそれぞれ提供する。ここで、Ｍ、Ｎ、Ｐ及びＱは整数である。アクセス網ＲＡ１からＲＡＭの少なくとも１つは例えば非対称デジタル加入者回線（ＡＤＳＬ）網、ケーブルネットワーク、無線電話ネットワーク、又は単純な交換電話ネットワークＲＴＣである。サービスプロバイダサーバＳＰは様々なアクセス網により提供される端末間の出入り口として作動し、クライアントインストレーション端末にインターネット網ＲＰを経由して電話呼び出しを提供し、従ってネットワークＲＰを通過するパケットにより支持される音声通信を有する。アクセス網はクライアントインストレーションを常時接続又はオンデマンド接続を経由してネットワークＲＰに接続する。
【００２２】
例えば、クライアント電気通信インストレーションは直接クライアントの電話回線、専用回線又はデータ伝送回線に接続するいくつかの端末Ｔ１からＴＥを含み、それら回線は共通の電話または無線電話チャンネルから提供され、例えばＰＡＢＸ型の個人的な切換えプラットフォームのようなサーバを経由するネットワークとして配置される。各端末Ｔｅは、ここでｅは１とＥ間に横たわる指数であるが、従来の電話端末、例えばマイクロコンピュータ又はファクシミリに接続するモデムのようなデジタル端末、例えば又は固定基地局から提供されるＤＥＣＴコードレス電話端末でありうる。
【００２３】
当業者には既知であるが、各クライアント電気通信インストレーションＩＣはパケット網ＲＰのレベル、特にインターネット網のレベルでそれぞれの独自の識別子ＩＰＩにより示される。識別子ＩＰＩは一般にインストレーションを明白に識別する番号又は文字列を含む。パケット網ＲＰを構成するインターネット網に対して、識別子は４バイトを含みインターネットプロトコルのバージョン４に適合するＩＰｖ４アドレスである。従来技術において、電話サービスプロバイダサーバＳＰが直接クライアントインストレーションの端末と１つと通信しようとする場合、インストレーション内部の端末の個人的な識別子がインストレーションの外部からアクセスできないため不可能であるか、あるいは通信できるためには公のＩＰアドレスがサーバＳＰに対する端末に割り当てられなければならない。
【００２４】
こうした欠点を取り除くために、端末識別子変換装置ＤＴ１１からＤＴ１Ｎ、ＤＴ２１からＤＴ２Ｐ、…、ＤＴＭ１からＤＴＭＱがそれぞれインストレーションＩＣ１１からＩＣ１Ｎ、ＩＣ２１からＩＣ２Ｐ、…、ＩＣＭ１からＩＣＭＱとアクセス網ＲＡ１、ＲＡ２、…、ＲＡＭ間に接続される。識別子変換装置はパケットのフォーマット、さらに具体的にはパケットのソース及び目的地アドレスのフォーマットに関してトランスペアレントである。従ってパケット網ＲＰは各識別子変換装置を従来技術のような変換装置を伴わないクライアントインストレーションと考え、相互的に、各クライアント電気通信インストレーションはまるでパケット網が従来技術によりインストレーションに接続しているかのようにパケット網を取り扱う。
【００２５】
例として、図２はクライアント電気通信インストレーションを示し、それは後の記述では参照符号ＩＣで示され、共通のバスＢＵによってそれぞれのアクセス網ＲＡに本発明によるそれぞれの識別子変換装置ＤＴを経由して接続する電話端末Ｔ１、…、Ｔｅ、…、ＴＥを含む。
【００２６】
この好ましい実施形態において、識別子変換装置ＤＴは２つのインターフェースＩＴ及びＩＲを伴うコンピュータサーバに収容される。インターフェースＩＴは変換装置ＤＴをクライアントインストレーションＩＣの電話端末Ｔ１からＴＥにバスＢＵを経由して接続する。インターフェースＩＲは変換装置ＤＴをそれぞれのアクセス網ＲＡに接続する。インターフェースＩＲは変換装置ＤＴをそれぞれのアクセス網ＲＡに接続する。インターフェースＩＴ及びＩＲは例えばイーサネット（登録商標）インターフェースである。
【００２７】
変換装置ＤＴは、例えば本質的に２つのソフトウェア層ＬＴＰ及びＬＴＲを含む専用デジタル信号処理（ＤＳＰ）集積回路内で実行される。
【００２８】
第１のソフトウェア層ＬＴＰは、端末からアクセス網ＲＡへの送信方向及びアクセス網ＲＡから端末への受信方向における外からの呼び出し又は外への呼び出しに対するすべてのパケットを処理する、特に、層ＬＴＰは端末及び電話サービスプロバイダサーバＳＰ間のプロトコル呼び出しの事象に関連するパケットに含まれるデータを復号する。これらの事象は、例えば、外から又は外への呼び出しの検知、すなわち呼び出している仲間又は呼び出された仲間の識別子の発見であり、これらはインストレーションの端末Ｔ１からＴＥの１つ又は遠隔電話端末でありうる。ソフトウェア層ＬＴＰはまた、ネットワークパケット又は移送パケット（図４）のヘッダーＥＲ、ＥＴの１６ビットワードから計算される検査合計領域ＣＳＲ、ＣＳＴを再計算する。なぜならヘッダーは、後述されるように、変換処理により修正されるからである。
【００２９】
第２のソフトウェア層ＬＴＲは変換装置ＤＴを通過する、すなわちインターフェースＩＴ及びＩＲにより送受信されるパケットに含まれる識別子の変換をリアルタイムで制御する。ソフトウェア層ＬＴＲは内部でクライアントインストレーションＩＣの端末Ｔ１からＴＥに割り当てられる識別子ＩＴ１からＩＴＥ及びインストレーションの外部からサービスプロバイダサーバＳＰによりアクセス可能なポート番号に関係するマッピング表ＴＣと接続する。ソフトウェア層ＬＴＲは、ポートＰ１１−Ｐ１ＪからＰＥ１−ＰＥＪのリストをロードして自動的に更新し、これらポートは端末の記憶装置及びマッピング表ＴＣの端末Ｔ１からＴＥに動的に割り当てられる。ここでＪは整数であり、通常は５である。
【００３０】
端末ＴＥのようなクライアント電気通信インストレーションＩＣの端末の１つと電話サービスプロバイダサーバＳＰ間のそれぞれの識別子変換装置ＤＴを経由するパケット交換が図３に示されている。この図において、変換装置ＤＴは、変換ソフトウェア層ＬＴＲとマッピング表 ＴＣにより図式的に示され、この２つは基本的にパケット識別子を変換する際に必要とされる。
【００３１】
インストレーションＩＣの外部からアクセスできない端末Ｔｅの識別子ＩＴｅ及びインストレーションの外部からアクセスできるインストレーションＩＣの識別子ＩＰＩは“１０．０．０．１０”及び“１９４．２５４．１５．３５”といったＩＰｖ４アドレスである。すでに述べたように、リンク層レベルでは通信技術はイーサネット（登録商標）パケットに頼り、ネットワーク層ではインターネット基準及びプロトコルに頼る。さらに正確には、端末Ｔｅ及びサーバＳＰ間でパケット交換する様々な層の配置はＨ３２３プロトコル基準に頼り、その移送層はユーザーのデータグラムプロトコルＵＤＰ移送プロトコルに頼って特に電話呼び出し間の音声に関係するＩＰパケットを送信する、又は移送制御プロトコルＴＣＰに頼り信号伝達、特に電話呼び出しの始め及び終わりの際の信号伝達に関係するＩＰパケットを送信する。ＴＣＰプロトコルはＵＤＰプロトコルより信頼性があり、送信されたパケットの順序を受信機で保存し、同様に損失パケットを再送信する。
【００３２】
パケット網ＲＰ内のルータはＩＳＯモデルである下部の３つの層を使用し、一般にネットワーク層３のパケットのヘッダーのみを解析し、パケットをその目的地へ送る。従って、インストレーションＩＣのアドレスＩＰＩはネットワークパケットを変換装置ＤＴからサーバＳＰへ送るソースアドレスとして、又はネットワークパケットをサーバＳＰからインストレーションＩＣへ送る目的地アドレスとして使用される。
【００３３】
図４に示されるように、ネットワークパケットと呼ばれヘッダーＥＲを有するネットワークプロトコルパケットは、リンクパケットと呼ばれヘッダーＥＬを有するリンクプロトコルパケットにカプセル化される。この場合、リンクプロトコルパケットはイーサネット（登録商標）プロトコルに適合し、移送パケットと呼ばれヘッダーＥＴを有する移送プロトコルパケットをカプセル化する。ネットワークパケットのヘッダーＥＲにおいて、プロトコルバイトはＵＤＰ又はＴＣＰプロトコルがヘッダーＥＴを伴う移送パケットにより使用されるかどうかを示し、４バイトがソースアドレス＠ＩＰＳを示し、４バイトが目的地アドレス＠ＩＰＤを示す。
【００３４】
本発明によると、端末Ｔｅ及び変換装置ＤＴ間のインストレーションＩＣを通過するパケット内でソースアドレス又は目的地アドレスとして使用される端末ＴｅのアドレスＩＴｅは、変換装置ＤＴ及びサービスプロバイダサーバＳＰ間を通過する移送パケットのヘッダーＥＴ内の２バイト上のソースポート番号ＰＳ又は２バイト上の目的地ポート番号ＰＤに対応する。
【００３５】
さらにＨ３２３プロトコルによると、移送パケットにおけるデータフィールドＤはアプリケーション層レベルで及びヘッダーＥＲ及びＥＴに関しては冗長な方法で、＠ＩＰＳ、＠ＩＰＤ、ＰＳ及びＰＤのパラメータ一式のすべて又は一部をパケットの本質機能としてカプセル化でき、それにより先端、すなわち通信における端末Ｔｅ及びサーバＳＰがこれらのパラメータを修正及び／又は利用できる。従って変換ソフトウェア層ＬＴＲは、これらパラメータが存在する場合はヘッダーＥＲ及びＥＴにおいてだけでなくデータフィールドＤにおいてもこれらパラメータを変換する責任がある。
【００３６】
後の記述において、上記パラメータの１つを変換することは、対応するヘッダー及びもしあればデータフィールドのパラメータを変換することを必然的に伴う。
【００３７】
最初に、本発明による識別子変換方法の工程Ｅ０において、端末ＴｅがバスＢＵに接続する、すなわち端末Ｔｅが最初にサーバＳＰに接続するとき、端末Ｔｅは電話サービスプロバイダサーバＳＰに対して宣言する。端末Ｔｅは第１のネットワークパケットＰＱ１を送信する。そのソースアドレス＠ＩＰＳは端末の識別子ＩＴｅに等しく、移送パケットＥＴ内のソースポート番号ＰＳは所定のポート番号、例えば１０２４であってサーバＳＰに対する端末の登録及び認証の位相を示し、その目的地アドレスはサーバＳＰの目的地アドレスである。本発明により端末に動的に割り当てられるポート番号ＰＯＲＴ０及び他のポート番号は、割り当てられていない番号、すなわちＵＤＰ又はＴＣＰプロトコルによる０から１０２３以外の他の番号から選択される。識別子変換装置ＤＴはその後個人的な端末アドレスＩＴｅをインストレーションの公のアドレスＩＰＩに変換し、ポート番号ＰＯＲＴ０を所定のソースポート番号Ｐ０に変換する。所定のソースポート番号Ｐ０は端末から独立しサービスプロバイダにより任意の端末登録手続きに割り当てられ、端末を登録する要求を信号伝達する。従ってパケットＰＱ１はパケットＰＱ２に変換される。パケットＰＱ２のソースアドレス＠ＩＰＳはインストレーションアドレスＩＰＩであり、そのソースポート番号ＰＳは所定のポート番号Ｐ０、例えば８４００であってサーバＳＰの移送層の所定のポート番号を示す。
【００３８】
パケットＰＱ２が受信されると、それはサーバＳＰのポートＰ０に印加される。サーバＳＰはデータベースＢＤで利用できるポート番号Ｐｅ１を端末Ｔｅに割り当て、端末ＴｅはそれをインストレーションＩＣ内ではっきりと指定する。サーバＳＰはメモリにペア［ＩＰＩ、Ｐｅ１］を保存する。サービスプロバイダはそのペアを端末Ｔｅを伴う各呼び出しの始めに端末Ｔｅを識別するのに使用する。
【００３９】
サービスプロバイダサーバＳＰは端末Ｔｅの登録及び認証を、パケットＰＱ３をアドレスＩＰＩにより示されるインストレーションＩＣに転送することにより認識する。パケットＰＱ３はアドレスＩＰＩを目的地アドレス＠ＩＰＤとして及び端末ポート番号Ｐｅ１、例えば８４５２を目的地ポート番号ＰＤとして含む。
【００４０】
その後変換装置ＤＴは、以前のものと相互関係にある識別子の変換処理をペア［ＩＴｅ、ＰＯＲＴ１］をマッピング表ＴＣを使用してペア［ＩＰＩ、Ｐ１１］に一致させることにより実行し、バスＢＵ上の端末ＴｅをアドレスＩＴｅ及び所定のポート番号ＰＯＲＴ１を含むパケットＰＱ４に送信して登録を目的地アドレス及び目的地ポート番号として有効にする。
【００４１】
従って、インストレーションＩＰＣの様々な端末Ｔ１からＴＥは、インストレーションの外部から移送パケットＥＴのポート番号Ｐ１１からＰ１Ｅにより区別される。移送パケットＥＴのポート番号Ｐ１１からＰ１Ｅはインストレーションの端末のアドレスＩＴ１からＩＴＥのサブアドレスと考えられうる。
【００４２】
図５は、変換方法が端末Ｔｅ及び遠隔端末間の呼び出しをサーバＳＰを経由して行う間、概してＪ＋１個の工程Ｅ１からＥ（Ｊ＋１）を含むことを示している。呼び出しを構築するとき、外部からの呼び出しにしろ外部への呼び出しにしろ、工程Ｅ１は前述したパケットＰＱ１からＰＱ４の交換に似たパケット交換手段により呼び出し及び／又は認証要求を宣言し、変換装置ＤＴがアドレスＩＴｅ及びポート番号Ｐｅ１間、もっと正確にいうとペア［ＩＴｅ、ＰＯＲＴ１］及びペア［ＩＰＩ、Ｐｅ１］間のマッピングによりこの呼び出し要求をマークする。外部からの呼び出しに対しては、サーバＳＰがペア［ＩＰＩ、Ｐｅ１］を伴うパケットを目的地アドレス＠ＩＰＤ及び目的地ポート番号ＰＤとして送信し、外部への呼び出しに対しては、端末Ｔｅがペア［ＩＴｅ、ＰＯＲＴ１］を伴うパケットをソースアドレス＠ＩＰＳ及びソースポート番号ＰＳとして送信する。
【００４３】
図３において工程Ｅ１は端末ＴＥに関連して示されている。
【００４４】
その後続く工程Ｅ２からＥＪにおいて、変換装置内の層ＬＴＲが動的及び連続的に端末Ｔｅに異なるポート番号Ｐｅ２からＰｅＪを割り当てる。そのポート番号はまだ利用でき、アプリケーション、すなわち手続処理中の呼び出し工程に関連する所定のポート番号ＰＯＲＴ２からＰＯＲＴＪに対応する。例えば、変換制御層ＬＴＲによるポート番号の動的な割り当てはＤＨＣＰつまり動的ホスト構成プロトコル下のＩＰアドレスの動的な割り当てに相似する。
【００４５】
アドレスＩＴｅが受信されたとき、ポート番号ＰＯＲＴ２は工程Ｅ２における呼び出しを構築する間の信号伝達を示すポート番号Ｐｅ２に対応する。実際、ポート番号ＰＯＲＴ２及びＰｅ２はそれぞれ二つの値、すなわちＱ．９３１／Ｈ２２５．０プロトコルによる外部からの呼び出しに対する信号伝達を示す第１の値及び外部への呼び出しに対する信号伝達を示す第２の値を有する。信号伝達は、例えば端末に接続する、端末を保留するなどといった進行中の先行呼び出しに関する。ポート番号ＰＯＲＴ３は、工程Ｅ３において端末識別子ＩＴｅとともにパケットに送信されるとき、オーディオ及び／又はビデオデータを、例えばＨ２４５プロトコル下で送信する目的で端末容量を取り決めるポート番号Ｐｅ３と動的に対応する。ポート番号ＰＯＲＴ４が識別子ＩＴｅを伴うパケットに送信されるとき、ポート番号ＰＯＲＴ４はリアルタイムプロトコル（ＲＴＰ）移送プロトコルにより工程Ｅ４で音声型のデータストリームを示すポート番号Ｐｅ４に動的に対応する。ポート番号ＰＯＲＴＪ＝ＰＯＲＴ５が工程ＥＪ＝Ｅ５において識別子ＩＴｅを伴うパケットに送信されるとき、ポート番号ＰＯＲＴＪ＝ＰＯＲＴ５はリアルタイム制御プロトコル（ＲＴＣＰ）移送プロトコルにより戻し情報を示すポート番号ＰｅＪ＝Ｐｅ５に動的に対応する。戻し情報の例は先行する工程Ｅ４において他の送信方向に送信されるが受信されないパケットの損失及び音声パケットの認識を含む。工程Ｅ４及びＥ５のペアは送信されるデータが存在する限り、呼び出しの間互いのあとに続く。
【００４６】
従って、所定の時間に、例えば３つの端末Ｔ１、Ｔｅ及びＴＥが通信しているとき、マッピング表ＴＣは呼び出し工程のセット［Ｐ１１からＰ１５］、［Ｐｅ１からＰｅＪ］及び［ＰＥ１からＰＥＪ］のそれぞれを各端末の所定のポート番号［ＰＯＲＴ１からＰＯＲＴＪ］のすべてに適合させる。
【００４７】
ポート番号Ｐｅ２からＰｅＪは、端末Ｔｅにマッピング表ＴＣにおける有用性の関数として連続的に割り当てられる。各ポート番号Ｐｅｊ（２≦ｊ≦Ｊ）は、サーバＳＰが呼び出し工程の文字列に追随する先行工程Ｅ（ｊ−１）の間、パケットのデータフィールドに含まれる。
【００４８】
最後に、動的に割り当てられたポートＰｅ２からＰｅＪのリストは、解除された制御層ＬＴＲにより、すなわち工程６における端末Ｔｅを伴う呼び出しの終わりにマッピング表ＴＣから削除され、ポートＰｅ２からＰｅＪはインストレーションの他の端末を伴う呼び出しに利用できる。
【図面の簡単な説明】
【図１】電話サービスプロバイダサーバが接続されるパケット伝送網により提供される複数のクライアント電気通信インストレーションのブロック図である。
【図２】クライアントインストレーションとアクセス網の間に接続される本発明による識別子変換装置のブロック図である。
【図３】本発明による変換装置を経由する２つのクライアントインストレーションとサービスプロバイダ間のパケットの送信図である。
【図４】変換装置を経由して通過するリンク、ネットワーク及び移送パケットのヘッダーのフォーマットを図式的に示している。
【図５】端末を登録する及び端末を伴う呼び出しを構築する間の、本発明による識別子変換方法のアルゴリズムである。
【符号の説明】
ＳＰ　電話サービスプロバイダサーバ
ＲＰ　パケット伝送網
ＲＡ、ＲＡ１、ＲＡ２、ＲＡＭ　アクセス網
ＩＣ１１、ＩＣ１２、ＩＣ１Ｎ　クライアントインストレーション
ＩＣ２１、ＩＣ２２、ＩＣ２Ｐ　クライアントインストレーション
ＩＣＭ１、ＩＣＭ２、ＩＣＭＱ　クライアントインストレーション
Ｔ１、Ｔｅ、ＴＥ　端末
ＴＣ　マッピング表
ＬＴＲ　識別子変換制御
ＬＴＰ　パケット処理手続
ＩＲ、ＩＴ　インターフェース
ＤＴ、ＤＴ１１、ＤＴ１２、ＤＴ１Ｎ、ＤＴ２１、ＤＴ２２、ＤＴ２Ｐ、ＤＴＭ１、ＤＴＭ２、ＤＴＭＱ　識別子変換装置
ＩＣ　インストレーション
ＰＳ　ソースポート番号
ＰＤ　目的地ポート番号
ＰＱ１、ＰＱ２、ＰＱ３、ＰＱ４　ネットワークパケット
ＢＤ　データベース
ＰＯＲＴ０、ＰＯＲＴ１、ＰＯＲＴ２、ＰＯＲＴ３、ＰＯＲＴ４、ＰＯＲＴ５　ポート
ＩＴｅ　端末識別子
ＩＰＩ　識別子
Ｐ０、Ｐｅ１、Ｐｅ２、Ｐｅ３、Ｐｅ４、Ｐｅ５　ポート番号
ＣＳＲ、ＣＳＴ　検査合計領域
Ｄ　データフィールド
【図１】
2004506385.tif 000003
【図２】
2004506385.tif 000004
【図３】
2004506385.tif 000005
【図４】
2004506385.tif 000006
【図５】
2004506385.tif 000007
【国際公開パンフレット】
2004506385.tif 000008
2004506385.tif 000009
2004506385.tif 000010
2004506385.tif 000011
2004506385.tif 000012
2004506385.tif 000013
2004506385.tif 000014
2004506385.tif 000015
2004506385.tif 000016
2004506385.tif 000017
2004506385.tif 000018
2004506385.tif 000019
2004506385.tif 000020
2004506385.tif 000021
2004506385.tif 000022
2004506385.tif 000023
2004506385.tif 000024
2004506385.tif 000025
2004506385.tif 000026
2004506385.tif 000027
2004506385.tif 000028
2004506385.tif 000029
2004506385.tif 000030
2004506385.tif 000031
2004506385.tif 000032
2004506385.tif 000033
2004506385.tif 000034
2004506385.tif 000035
2004506385.tif 000036
【国際公開パンフレット（コレクトバージョン）】
2004506385.tif 000037
2004506385.tif 000038
【手続補正書】
【提出日】平成14年7月31日(2002.7.31)
【手続補正１】
【補正対象書類名】明細書
【補正対象項目名】００３０
【補正方法】変更
【補正の内容】
【００３０】
端末Ｔｅのようなクライアント電気通信インストレーションＩＣの端末の１つと電話サービスプロバイダサーバＳＰ間のそれぞれの識別子変換装置ＤＴを経由するパケット交換が図３に示されている。この図において、変換装置ＤＴは、変換ソフトウェア層ＬＴＲとマッピング表ＴＣにより図式的に示され、この２つは基本的にパケット識別子を変換する際に必要とされる。


【手続補正２】
【補正対象書類名】明細書
【補正対象項目名】００４０
【補正方法】変更
【補正の内容】
【００４０】
その後変換装置ＤＴは、以前のものと相互関係にある識別子の変換処理をペア［ＩＴｅ、ＰＯＲＴ０］をマッピング表ＴＣを使用してペア［ＩＰＩ、Ｐ１１］に一致させることにより実行し、バスＢＵ上の端末ＴｅをアドレスＩＴｅ及び所定のポート番号ＰＯＲＴ０を含むパケットＰＱ４に送信して登録を目的地アドレス及び目的地ポート番号として有効にする。


【手続補正３】
【補正対象書類名】明細書
【補正対象項目名】００４６
【補正方法】変更
【補正の内容】
【００４６】
従って、所定の時間に、例えば３つの端末Ｔ１、Ｔｅ及びＴＥが通信しているとき、マッピング表ＴＣは呼び出し工程のセット［Ｐ１１からＰ１Ｊ］、［Ｐｅ１からＰｅＪ］及び［ＰＥ１からＰＥＪ］のそれぞれを各端末の所定のポート番号［ＰＯＲＴ１からＰＯＲＴＪ］のすべてに適合させる。


【手続補正４】
【補正対象書類名】図面
【補正対象項目名】図３
【補正方法】変更
【補正の内容】
【図３】
2004506385.tif 000039
【手続補正書】
【提出日】平成14年10月23日(2002.10.23)
【手続補正１】
【補正対象書類名】明細書
【補正対象項目名】特許請求の範囲
【補正方法】変更
【補正の内容】
【特許請求の範囲】
【請求項１】
クライアントインストレーション（ＩＣ）を通じて端末から送信される第１のネットワークパケット（ＰＱ１）にソースアドレス（＠ＩＰＳ）として含まれる前記端末（Ｔｅ）の識別子（ＩＴｅ）が、所定のフォーマットを有しパケット網（ＲＰ）内で電話サービスプロバイダ手段（ＳＰ）に送信される第２のネットワークパケット（ＰＱ２）に含まれる前記インストレーション（ＩＣ）の所定の識別子（ＩＰＩ）に変換され（Ｅ０−Ｅ４）、
前記端末（Ｔｅ）を伴う音声呼び出し工程（Ｅ２−ＥＪ）を示し前記第１のネットワークパケット（ＰＱ１）にカプセル化される移送パケット（ＥＴ）に含まれるポート番号（ＰＯＲＴ１−ＰＯＲＴＪ）が前記端末（Ｔｅ）に動的に割り当てられ前記第２のネットワークパケット（ＰＱ２）にカプセル化される移送パケット（ＥＴ）に含まれるポート番号（Ｐｅ１−ＰｅＪ）に変換され、前記端末及び前記端末を伴う呼び出し工程の両方を前記プロバイダ手段（ＳＰ）で識別し、
逆に、前記パケット網（ＲＰ）内で前記パケット網（ＲＰ）を通じて前記プロバイダ手段（ＳＰ）から前記インストレーション（ＩＣ）へ送信される第３のネットワークパケット（ＰＱ３）に目的地アドレス（＠ＩＰＤ）として含まれる前記インストレーション（ＩＣ）の識別子（ＩＰＩ）及び前記第３のネットワークパケット（ＰＱ３）にカプセル化される移送パケットに含まれるポート番号（Ｐｅ１−ＰｅＪ）がそれぞれ前記インストレーション（ＩＣ）を通じて前記端末（Ｔｅ）に送信される第４のネットワークパケット（ＰＱ４）に含まれる前記端末の識別子（ＩＴｅ）及び前記音声呼び出し工程（Ｅ２−ＥＪ）を示し前記第４のネットワークパケット（ＰＱ４）にカプセル化される移送パケットに含まれるポート番号（ＰＯＲＴ１−ＰＯＲＴ３）に変換されることを特徴とする、識別子が所定のフォーマットを有しパケット伝送網（ＲＰ）を通じて通過するパケット（ＥＲ）に含まれる、クライアントの電気通信インストレーション（ＩＣ）の端末（Ｔ１−ＴＥ）の識別子（ＩＴｅ）を変換する方法。
【請求項２】
前記端末（ＩＴｅ）を前記インストレーション（ＩＣ）に接続するとき、前記第２のネットワークパケット（ＰＱ２）のポート番号が端末から独立する所定のソースポート番号（Ｐ０）であり、前記サービスプロバイダ手段（ＳＰ）がそれぞれのポート番号（Ｐｅ１）を前記端末（Ｔｅ）に割り当て、それを前記第３のネットワークパケット（ＰＱ３）に含まれる移送パケットの目的地ポート番号として前記インストレーション（ＩＣ）に送信することを特徴とする、請求項１に記載の方法。
【請求項３】
動的に割り当てられた前記ポート番号（Ｐｅ２−ＰｅＪ）が前記端末（ＩＴｅ）を伴う呼び出しの最後で再び利用できることを特徴とする、請求項１または請求項２に記載の方法。
【請求項４】
前記端末（Ｔｅ）の識別子（ＩＴｅ）及び音声呼び出し工程（Ｅ２−ＥＪ）を示すポート番号（ＰＯＲＴ１−ＰＯＲＴＪ）が前記第１のネットワークパケット（ＰＱ１）のデータフィールド（Ｄ）にも含まれ、それぞれ前記インストレーションの識別子（ＩＰＩ）及び前記端末（Ｔｅ）に動的に割り当てられるポート番号（Ｐｅ１−ＰｅＪ）に変換され、それらは前記第２のネットワークパケット（ＰＱ２）のデータフィールド（Ｄ）にも含まれ、
逆に、前記インストレーションの識別子（ＩＰＩ）及び前記端末（Ｔｅ）に動的に割り当てられるポート番号（Ｐｅ１−ＰｅＪ）もまた前記第３のネットワークパケット（ＰＱ３）のデータフィールド（Ｄ）に含まれ、それぞれ前記端末（Ｔｅ）の識別子（ＩＴｅ）及び前記音声呼び出し工程（Ｅ２−ＥＪ）を示すポート番号（ＰＯＲＴ１−ＰＯＲＴＪ）に変換され、それらは前記第４のネットワークパケット（ＰＱ４）のデータフィールド（Ｄ）にも含まれることを特徴とする、請求項１から請求項３のいずれかに記載の方法。
【請求項５】
クライアントの電気通信インストレーション（ＩＣ）の端末（Ｔ１−ＴＥ）の端末子（ＩＴｅ）を変換する装置であって、前記装置が
前記インストレーション（ＩＣ）に送信されるネットワークパケット（ＥＲ）に含まれる端末（Ｔｅ）の識別子（ＩＴｅ）を、動的に割り当てられパケット網（ＲＰ）に送信されるネットワークパケットにカプセル化される移送パケット（ＥＴ）に含まれるポート番号（Ｐｅ１−Ｐｅ３）に適合させるマッピング表（ＴＣ）、
ソースアドレス（＠ＩＰＳ）として、前記インストレーション（ＩＣ）を通じて前記端末により送信される第１のネットワークパケット（ＰＱ１）に含まれる前記端末（Ｔｅ）の識別子（ＩＰＩ）を、所定のフォーマットを有しパケット網（ＲＰ）内で電話サービスプロバイダ手段（ＳＰ）へ送信される第２のネットワークパケット（ＰＱ２）に含まれる前記インストレーションの所定の識別子（ＩＰＩ）に置き換え、前記端末（Ｔｅ）を伴う音声呼び出し工程（Ｅ２−ＥＪ）を示し前記第１のネットワークパケット（ＰＱ１）にカプセル化される移送パケット（ＥＴ）に含まれるポート番号（ＰＯＲＴ１−ＰＯＲＴＪ）を、前記端末（Ｔｅ）に動的に割り当てられ前記第２のネットワークパケット（ＰＱ２）にカプセル化される移送パケットに含まれるポート番号（Ｐｅ１−ＰｅＪ）に置き換えて前記端末と端末を伴う呼び出し工程の両方を前記プロバイダ手段（ＳＰ）で識別する制御手段（ＬＴＲ）と、
前記パケット網内で前記パケット網（ＲＰ）を通じて前記プロバイダ手段（ＳＰ）から前記インストレーション（ＩＣ）へ送信される第３のネットワークパケット（ＰＱ３）に目的地アドレス（＠ＩＰＤ）として含まれる前記インストレーション（ＩＣ）の識別子（ＩＰＩ）及び前記第３のネットワークパケット（ＰＱ３）にカプセル化される移送パケットに含まれるポート番号（Ｐｅ１−ＰｅＪ）をそれぞれ前記インストレーションを通じて前記端末（Ｔｅ）に送信される第４のネットワークパケット（ＰＱ４）に含まれる前記端末の識別子（ＩＴｅ）及び前記音声呼び出し工程（Ｅ２−ＥＪ）を示し前記第４のネットワークパケット（ＰＱ４）にカプセル化される移送パケットに含まれるポート番号（ＰＯＲＴ１−ＰＯＲＴＪ）に置き換える制御手段（ＬＴＲ）を含むことを特徴とする、
前記識別子が所定のフォーマットを有しパケット伝送網（ＲＰ）を通じて通過するパケット（ＥＲ）に含まれる、クライアントの電気通信インストレーション（ＩＣ）の端末（Ｔ１−ＴＥ）の識別子（ＩＴｅ）を変換する装置。
【請求項６】
前記制御手段（ＬＴＲ）が前記端末（Ｔｅ）を伴う呼び出しの終わりに、前記マッピング表（ＴＣ）に動的に割り当てられる前記ポート番号（Ｐｅ２−ＰｅＪ）を削除することを特徴とする、請求項５に記載の装置。
【手続補正２】
【補正対象書類名】明細書
【補正対象項目名】０００４
【補正方法】変更
【補正の内容】
【０００４】
インターネットのアドレス指定容量の不足を改善するために、バージョン６による新しいプロトコルがＩＰｖ６端末アドレスを１２８ビットへ拡大することを企図している。ＩＰｖ６アドレスの１２８ビットは、非常に多数の端末識別子、実際には約３×１０３８の潜在的な識別子を画定することができる。ＩＰｖ４アドレスをＩＰｖ６アドレスにカプセル化して、インターネットプロトコルのバージョン４及びバージョン６間の移行を容易にしようとしているが、現在のところＩＰｖ６アドレスにより示されるインターネット網上の電話端末は存在しない。
本発明は特許出願ＥＰ０８４０４８２に記述されるようなＩＰｖ４プロトコル及びＩＰｖ６プロトコルを使用するネットワーク間のアドレス変換に関するものではないということがわかる。


【手続補正３】
【補正対象書類名】明細書
【補正対象項目名】００１０
【補正方法】変更
【補正の内容】
【００１０】
【発明が解決しようとする課題】
本発明の目的は、パケット伝送網における端末のアドレス指定容量を、ネットワーク全域を通過するパケットに含まれる端末識別子のフォーマットを修正せずに、パケット網全域の音声送信できる範囲で増やすことである。言い換えると、本発明の目的は、パケット網に関してユーザーにトランスペアレントに、クライアント電気通信インストレーション内で各端末、特に各電話端末に対して単一の識別子を提供し、ネットワークにより公に知られているインストレーションのＩＰｖ４アドレスのようなインストレーションの識別子を修正をせず、一方で端末からの音声送信を許容することである。


【手続補正４】
【補正対象書類名】明細書
【補正対象項目名】００１１
【補正方法】変更
【補正の内容】
【００１１】
【課題を解決するための手段】
従って、識別子が所定のフォーマットを有しパケット伝送網を通じて通過するネットワークパケットに含まれる、クライアントの電気通信インストレーションの端末の識別子を変換する方法は、
クライアントインストレーションを通じて端末から送信される第１のネットワークパケットにソースアドレスとして含まれる端末の識別子が、前記フォーマットを有しパケット網内で電話サービスプロバイダ手段に送信される第２のネットワークパケットに含まれるインストレーションの所定の識別子に変換され、
端末を伴う音声呼び出し工程を示し第１のネットワークパケットにカプセル化される移送パケットに含まれるポート番号が、端末に動的に割り当てられ第２のネットワークパケットにカプセル化される移送パケットに含まれるポート番号に変換されて、前記端末及び端末を伴う呼び出し工程の両方をプロバイダ手段で識別し、
逆に、目的地アドレスとして、パケット網内でパケット網を通じてプロバイダ手段からインストレーションへ送信される第３のネットワークパケットに含まれるインストレーションの識別子及び第３のネットワークパケットにカプセル化される移送パケットに含まれるポート番号が、それぞれインストレーションを通じて端末に送信される第４のネットワークパケットに含まれる端末の識別子及び音声呼び出し工程を示し第４のネットワークパケットにカプセル化される移送パケットに含まれるポート番号に変換されることを特徴とする。


【手続補正５】
【補正対象書類名】明細書
【補正対象項目名】００１２
【補正方法】変更
【補正の内容】
【００１２】
パケット伝送網及びクライアント電気通信インストレーション間の識別子の変換は、端末を伴う各音声呼び出しが続く時間を通じて、リアルタイムでインストレーションの各端末により送受信されるすべてのパケットに影響を与える。変換はクライアントインストレーションとに関してトランスペアレントであり、パケット伝送網、すなわちインストレーションの各端末により送受信されるパケットのフォーマット及びパケット伝送網に接続する電話サービスプロバイダ手段により送受信されるパケットのフォーマットは修正されず、クライアントに対してサービスの質を落とさない。特に、識別子変換処理を起因とする遅れは、パケットを送信する際において目立つほどのものではない。


【手続補正６】
【補正対象書類名】明細書
【補正対象項目名】００１３
【補正方法】変更
【補正の内容】
【００１３】
クライアントはＩＰアドレスのようなたった一つのインストレーション識別子を有し、従ってインストレーションの端末すべてが電話回線、専用回線又はデータ伝送回線型のクライアントが物理的にアクセスするといったたった一つのアクセスにより接続されうるが、インストレーションの各端末は好都合なことにインストレーションの外部からそれぞれの識別子によりアドレス指定ができ、まるでクライアントインストレーションが端末の番号と同じネットワークへの「物理的な」アクセスポイント番号を有しているかのようである。


【手続補正７】
【補正対象書類名】明細書
【補正対象項目名】００１４
【補正方法】変更
【補正の内容】
【００１４】
最初に、端末をインストレーションに接続するとき、第２のネットワークパケットのポート番号は端末から独立する所定のソースポート番号であり、サービスプロバイダ手段はそれぞれのポート番号を端末に割り当て、それを第３のネットワークパケットに含まれる移送パケットの目的地ポート番号としてインストレーションに送信する。


【手続補正８】
【補正対象書類名】明細書
【補正対象項目名】００１５
【補正方法】変更
【補正の内容】
【００１５】
端末を伴う呼び出しの間、端末が外にかけるためにクライアントインストレーションから電話サービスプロバイダ手段に、又はかかってきた電話に対してサービスプロバイダ手段からインストレーションにそれぞれのポート番号を送信することにより識別されたあと、端末に接続し、ネットワークに送信されるネットワークパケットにカプセル化される移送パケットに含まれるポート番号は、端末及び遠隔端末を伴う音声呼び出し工程に対して動的に割り当てられ、サービスプロバイダ手段の制御下にある。端末はパケット網を通じての電話呼び出しをリアルタイムで作動させることができ、端末の前にいるクライアントに対するサービスの質を落とさない。


【手続補正９】
【補正対象書類名】明細書
【補正対象項目名】００１６
【補正方法】変更
【補正の内容】
【００１６】
端末を伴う呼び出しの終わりに、動的に割り当てられたポート番号がインストレーションの他の端末を伴う呼び出しに再び利用できる。


【手続補正１０】
【補正対象書類名】明細書
【補正対象項目名】００１７
【補正方法】変更
【補正の内容】
【００１７】
端末又はプロバイダサーバの音声回復を改善するために、端末の識別子及び音声呼び出し工程を示すポート番号は第１のネットワークパケットのデータフィールドにも含まれ、それぞれインストレーションの識別子及び端末に動的に割り当てられるポート番号に変換される。それらは両方ともプロバイダ手段の第２のネットワークパケットのデータフィールドにも含まれ、逆に、インストレーションの識別子と端末に動的に割り当てられるポート番号は第３のネットワークパケットのデータフィールドにも含まれ、それぞれ端末の識別子及び音声呼び出し工程を示すポート番号に変換される。それらもまた第４のネットワークパケットのデータフィールドに含まれる。


【手続補正１１】
【補正対象書類名】明細書
【補正対象項目名】００１８
【補正方法】変更
【補正の内容】
【００１８】
本発明はまた、本発明による変換方法を実行する識別子変換装置を提供する。該装置は、
インストレーションに送信されるネットワークパケットに含まれる端末の識別子を動的に割り当てられパケット網に送信されるネットワークパケットにカプセル化される移送パケットに含まれるポート番号と適合させるマッピング表、
インストレーションを通じて端末により送信される第１のネットワークパケットにソースアドレスとして含まれる端末の識別子を、前記フォーマットを有しパケット網内で電話サービスプロバイダ手段に送信される第２のネットワークパケットに含まれるインストレーションの所定の識別子に置き換え、及び端末を伴う音声呼び出し工程を示し第１のネットワークパケットにカプセル化される移送パケットに含まれるポート番号を、端末に動的に割り当てられ第２のネットワークパケットにカプセル化される移送パケットに含まれるポート番号に置き換え、前記端末と端末を伴う呼び出し工程の両方をプロバイダ手段で識別する制御手段、及び
目的地アドレスとしてパケット網内でパケット網を通じてプロバイダ手段からインストレーションへ送信される第３のネットワークパケットに含まれるインストレーションの識別子及び第３のネットワークパケットにカプセル化される移送パケットに含まれるポート番号をそれぞれインストレーションを通じて端末に送信される第４のネットワークパケットに含まれる端末の識別子及び音声呼び出し工程を示し第４のネットワークパケットにカプセル化される移送パケットに含まれるポート番号に置き換える制御手段を含むことを特徴とする。


【手続補正１２】
【補正対象書類名】明細書
【補正対象項目名】００１９
【補正方法】変更
【補正の内容】
【００１９】
本発明による識別子変換装置は、クライアントインストレーション電気通信端末とインストレーションへのアクセス網間の「橋」としての役目を果たす。この橋はクライアントインストレーション及びパケット伝送網間の橋全域を通過するパケットの手続処理に関して完全にトランスペアレントである。




【国際調査報告】
2004506385.tif 000040
2004506385.tif 000041
2004506385.tif 000042
2004506385.tif 000043